(57)【特許請求の範囲】
【請求項１】
撮影レンズと固体撮像素子とを備えた撮影系から独立して設けられ、前記撮影レンズの変倍操作に連動してファインダ光路内の対物レンズと接眼レンズとの間に変倍レンズを挿脱してファインダ倍率を段階的に変更する変倍ファインダ光学系と、
撮影に関する情報を表示する電子表示板と、
前記電子表示板に表示された情報を前記変倍レンズが挿脱される位置よりも前記接眼レンズに近い位置からファインダ視野内に導く光路部材と、
前記ファインダ倍率の変更に伴って、前記電子表示板に表示される情報の輝度を自動的に変更する輝度変更部と、
を備えたことを特徴とする変倍ファインダ装置。
【請求項２】
前記輝度変更部は、前記ファインダ倍率が大きくなるほど、前記電子表示板に表示される情報の輝度を低くすることを特徴とする請求項１記載の変倍ファインダ装置。
【請求項４】
前記光路部材は、前記対物レンズと前記接眼レンズとの間に配置されたプリズムであり、前記対物レンズによるファインダ像と前記情報とを合成することを特徴とする請求項１記載の変倍ファインダ装置。
【請求項６】
前記輝度変更部は、前記ファインダ倍率の変更が行われている間に、前記電子表示板に表示される情報の輝度を、変更前後の輝度より明るく表示することを特徴とする請求項１記載の変倍ファインダ装置。
【請求項７】
前記電子表示板は、前記ファインダ倍率の変更が行われている間に、前記ファインダ視野内に表示される情報の少なくとも一部の大きさを、変更前後より大きくすることを特徴とする請求項６記載の変倍ファインダ装置。
【請求項８】
前記電子表示板は、情報を表示する液晶板と、この液晶板を背後から照明するバックライトユニットとを有することを特徴とする請求項１記載の変倍ファインダ装置。
【請求項９】
前記輝度変更部は、バックライトユニットの発光輝度を制御するバックライト制御部であることを特徴とする請求項８記載の変倍ファインダ装置。
【請求項１０】
前記電子表示板は、複数の画素が配列されており、
前記輝度変更部は、前記電子表示板の各画素のオン・オフを制御する制御回路であり、前記画素の点滅時間で前記電子表示板の輝度を変更する、
ことを特徴とする請求項８記載の変倍ファインダ装置。
【請求項１１】
撮影レンズと固体撮像素子とを備えた撮影系から独立して設けられ、ファインダ像とともに、電子表示板に表示された表示情報が観察可能な変倍ファインダ装置において、
撮影レンズの変倍操作に連動してファインダ光路内の前記対物レンズと前記接眼レンズとの間に変倍レンズを挿脱してファインダ倍率を段階的に変更するステップと、
前記ファインダ倍率の変更が指示されたときから、前記ファインダ光路内への前記変倍レンズの挿脱が完了する間に、前記電子表示板に表示される情報の輝度を、変更前後の輝度より明るく表示するステップと、
を有することを特徴とする表示情報の輝度変更方法。
【請求項１５】
前記輝度変更部は、前記ファインダ倍率の変更の前後では前記ファインダ倍率に応じて段階的に決められた設定輝度で前記電子表示板にファインダ倍率情報を表示し、前記ファインダ倍率の変更が行われている間には前記設定輝度のいずれよりも明るい輝度で前記ファインダ情報を表示し、
前記電子表示板は、前記ファインダ倍率の変更の前後では所定の表示サイズでファインダ倍率情報を表示し、前記ファインダ倍率の変更が行われている間には前記所定の表示サイズよりも大きなサイズで前記ファインダ倍率情報を表示することを特徴とする請求項２記載の変倍ファインダ装置。
【発明の詳細な説明】
【技術分野】
【０００１】
本発明は、ファインダ倍率が変更可能な変倍ファインダ装置と、ファインダ内の表示情報の輝度変更方法に関するものである。
【背景技術】
【０００２】
ＣＣＤイメージセンサなどの撮像素子を用いて光学画像を電気信号に変換し、画像データとしてメモリカードなどに保存するデジタルカメラが普及している。殆どのデジタルカメラでは、その背面にＬＣＤパネルが設けられており、撮影すべき被写体画像（スルー画）の確認と、メモリカード内の記録済画像の再生表示とが行えるようになっている。【０００３】
デジタルカメラの撮影は、日中の屋外で行われることが多いために、外光の向きによってＬＣＤパネルの画像が非常に見にくいことがある。そこで、ＬＣＤパネルとは別に覗き式のファインダ装置が設けられたものも市販されている。覗き式のファインダ装置には、ファインダ光学系を通して被写体を直接に観察する光学式ファインダ装置と、ファインダ内に液晶板や有機ＥＬなどの電子表示板に配置し、被写体の画像（スルー画）を表示する電子式ファインダ装置とがある。【０００４】
一方、撮影レンズには、カメラ本体に固定された固定式レンズと、カメラ本体に対して着脱自在に装着される交換レンズとがある。また、撮影レンズには、焦点距離が一定な固定焦点レンズと、焦点距離が変更できる変倍レンズ（ズームレンズも含む）とがある。交換レンズや変倍レンズを用いるカメラは、複数の焦点距離で撮影が行われるので、ファインダ装置も焦点距離に対応していることが好ましい。そこで、光学式ファインダ装置には、焦点距離に対応した複数の視野枠を有するものや、焦点距離に応じてファインダ倍率が調節可能な変倍ファインダ装置が知られている。また、撮影条件、例えば撮影レンズの明るさであるＦナンバーや、撮影レンズの焦点距離、シャッタスピード、撮影距離などの情報をファインダ視野内に表示するものも知られている。例えば、特許文献１には、撮影レンズのピント状態をＬＣＤに表示し、この表示情報をファインダ内で見ることができるようにした光学式ファインダ装置が記載されている。
【先行技術文献】
【特許文献】
【０００５】
【特許文献１】特開平８−４３９１８号公報
【発明の概要】
【発明が解決しようとする課題】
【０００６】
特許文献１に記載された光学式ファインダ装置では、ファインダ倍率の変更に伴ってファインダ視野の明るさが変化するので、ファインダ内が暗くなったり、明るくなったりする。しかし、ＬＣＤに表示される文字などの表示情報は、明るさが変わらないため、見づらくなってしまい、ときには読めないこともある。特に、ファインダ光路上に、変倍レンズを挿脱してファインダ倍率を変更する構成の変倍ファインダ装置では、ファインダ視野の明るさが急に変わるため、表示情報の見にくさが目立つことになる。【０００７】
本発明は、ファインダ倍率の変更時に表示情報が見えにくくなるのを防止する変倍ファインダ装置及び表示情報の輝度変更方法を提供することを目的とする。
【課題を解決するための手段】
【０００８】
上記目的を達成するために、本発明の変倍ファインダ装置は、変倍ファインダ光学系と、電子表示板と、光路部材と、輝度変更部とを備えている。変倍ファインダ光学系は、撮影レンズと固体撮像素子とを備えた撮影系から独立して設けられ、撮影レンズの変倍操作に連動してファインダ光路内の対物レンズと接眼レンズとの間に変倍レンズを挿脱してファインダ倍率を段階的に変更する。電子表示板は、撮影に関する情報を表示する。光路部材は、電子表示板に表示された情報を変倍レンズが挿脱される位置よりも接眼レンズに近い位置からファインダ視野内に導き、ファインダ像と表示情報とを合成する。輝度変更部は、ファインダ倍率の変更に伴って、電子表示板に表示される情報の輝度を変更する。【０００９】
輝度変更部は、ファインダ倍率が大きくなるほど、電子表示板に表示される情報の輝度を低くすることが好ましい。【００１０】
光路部材は、対物レンズと接眼レンズとの間に配置されたプリズムであることが好ましく、このプリズムは、変倍ファインダ光学系により形成されるファインダ像に、電子表示板の表示情報を合成する。【００１１】
輝度変更部は、ファインダ倍率の変更が行われている間に、電子表示板に表示される情報の輝度を、変更前後の輝度より明るく表示することが好ましい。また、ファインダ倍率の変更が行われている間に、ファインダ視野内に表示される情報の少なくとも一部の大きさを、変更前後より大きくすることが好ましい。【００１２】
電子表示板としては、情報を表示する液晶板と、この液晶板を背後から照明するバックライトユニットとが用いられる。輝度変更部としてはバックライト制御部が用いられ、バックライトユニットの発光輝度を制御する。【００１３】
電子表示板は、複数の画素が配列されている。輝度変更部は、電子表示板の各画素のオン・オフを制御する制御回路であり、画素の点滅時間で前記電子表示板の輝度を変更する。【００１４】
本発明の表示情報の輝度変更方法は、撮影レンズと固体撮像素子とを備えた撮影系から独立して設けられ、ファインダ像とともに、電子表示板に表示された表示情報が観察可能な変倍ファインダ装置に適用され、撮影レンズの変倍操作に連動してファインダ倍率を変更するステップと、ファインダ倍率の変更に伴って、電子表示板に表示される情報の輝度を変更するステップとを有する。【００１５】
ファインダ倍率変更ステップ中に、電子表示板に表示される情報の輝度を、その変更前後の輝度より明るく表示させることが好ましい。ファインダ倍率変更ステップでは、ファインダ光路中に変倍レンズの挿脱が行われることが好ましい。【００１６】
ファインダ倍率の変更が指示されたときから、ファインダ光路内への変倍レンズの挿脱が完了する間は、電子表示板に表示される情報の輝度を、変更前後の輝度より明るく表示するステップを追加することが好ましい。【００１７】
さらに本発明の変倍ファインダ装置は、輝度変更部は、ファインダ倍率の変更の前後ではファインダ倍率に応じて段階的に決められた設定輝度で電子表示板にファインダ倍率情報を表示し、ファインダ倍率の変更が行われている間には設定輝度のいずれよりも明るい輝度でファインダ倍率情報を表示し、電子表示板は、ファインダ倍率の変更の前後では所定の表示サイズでファインダ倍率情報を表示、ファインダ倍率の変更が行われている間には、所定の表示サイズよりも大きなサイズでファインダ倍率情報を表示するように構成される。
【発明の効果】
【００１８】
本発明では、ファインダ倍率の変更のためにファインダ光路中に変倍レンズを挿脱し、ファインダ視野の輝度が変化したりファインダ像が観察しにくくなったりしても、それに合わせてファインダ内への表示情報の輝度が変化するので、表示情報が見にくくなるおそれがない。
【図面の簡単な説明】
【００１９】
【図１】本発明の変倍ファインダ装置を備えたデジタルカメラの背面側斜視図である。
【図２】ファインダ光学系を示す断面図である。
【図３】デジタルカメラの構成を示す概略図である。
【図４】ファインダ倍率と表示情報の明るさとの対応関係を示すグラフである。
【図５】ファインダの倍率を切替えるときのタイミングチャートである。
【図６】表示情報の輝度変更を説明するフローチャートである。
【図７】ファインダ視野の１例を示す図である。
【図８】ファインダ倍率の変更指示直後の表示情報を示す図である。
【図９】ファインダ倍率の切替え途中の表示情報を示す図である。
【図１０】ファインダ倍率の変更完了後の表示情報を示す図である。
【図１１】ファインダ倍率の他に、被写体輝度を考慮して表示情報の輝度変更を行う例を説明するフローチャートである。
【発明を実施するための形態】
【００２０】
図１に示すように、デジタルカメラ２０は、ほぼ直方体のカメラ本体２２を備え、その前面に撮影レンズ鏡筒２３とファインダ対物窓（図示せず）が設けられている。また、カメラ本体２２の背面には、ファインダ接眼窓２６、撮影画像や再生画像を表示するためのＬＣＤパネル２７が設けられている。カメラ本体２２の上面には、電源スライドスイッチ２４とシャッタボタン２５とが設けられ、カメラ本体２２の背面には複数の操作部材が設けられている。これらによって操作部２８が構成される。カメラ本体２２の底面にはスロット（図示せず）が設けられており、このスロットにメモリカード２９が着脱自在に装填され、撮影された画像データが書き込まれる。
【００２１】
図２に示すように、変倍ファインダ装置３０は、変倍ファインダ光学系３２、変倍レンズ３３，３４を駆動するファインダ駆動部４３（図３参照）、撮影に関する情報が表示される液晶板（電子表示板）３５、液晶板３５に表示された情報を変倍ファインダ光学系３２の視野内に表示させるプリズム（光路部材）３６、液晶板３５を裏面側から照射するＬＥＤを有するバックライトユニット（表示用光源）３７を備える。なお、液晶板３５の代わりに、有機ＥＬなどの発光表示装置を用いてもよい。
【００２２】
変倍ファインダ光学系３２は、逆ガリレオタイプであり、対物レンズ群４４と、接眼レンズ４５とによって構成されている。対物レンズ群４４は、２枚の対物レンズ４１，４２と、出し入れ自在な２つの変倍レンズ３３，３４とを有する。対物レンズ群４４と接眼レンズ４５との間には、ハーフミラー３８を有するプリズム３６が配置される。対物レンズ４１に入射した被写体からの光は、変倍ファインダ光学系３２を透過して接眼レンズ４５から出射し、眼の網膜上に被写体の虚像を形成する。なお、変倍ファインダ光学系３２は実像式でもよい。
【００２３】
変倍ファインダ光学系３２は、ファインダ光路４０上に変倍レンズ３３，３４を出し入れしてファインダ倍率の変更を行う。変倍レンズ３３，３４がファインダ光路４０上に挿入されていないときを基準とすると、１つの変倍レンズ３３を挿入したときにはファインダ倍率が２倍となり、２つの変倍レンズ３３，３４を挿入したときには３倍となる。
【００２４】
一方、表示用光源３７によって照射された液晶板３５の表示情報は、レンズ４６〜４８を透過してプリズム３６に入射され、ハーフミラー３８で反射されてから、接眼レンズ４５に入る。接眼レンズ４５を透過して眼に入った表示情報は、対物レンズ群４４からのファインダ像と合成され、ファインダ視野内で同時に見ることができる。
【００２５】
図３に示すように、撮影系５０は、ズーム機能を有する撮影レンズ５２と、絞り装置５３と、シャッタ装置５４と、ＣＣＤ（撮像素子）５５を備え、ＣＣＤ５５で被写体像を撮影する。撮影レンズ５２は、便宜的に１個のレンズとして描いてあるが、撮影倍率を変更する変倍レンズ、被写体距離が変化したときに焦点調節をするとともに、撮影倍率の変更中にピントがずれないように補正する補正レンズ、及びフォーカスレンズを有する。なお、フォーカスレンズで補正レンズを代用してもよい。
【００２６】
ＣＣＤ５５から出力された時系列の出力信号（撮像信号）は、ＣＤＳ（相関二重サンプリング回路）５６、ＡＭＰ（増幅回路）５７、Ａ／Ｄ変換器５８を経由して、データバス５９に送られる。このデータバス５９には、画像信号処理回路６２、圧縮伸長処理回路６３、ＡＥ／ＡＦ処理回路６４、ＲＯＭ６５、ＲＡＭ６６、ＳＤＲＡＭ６７、ＬＣＤパネル２７を制御するＬＣＤドライバ６８、メディアコントローラ６９及びＣＰＵ７０が接続されている。
【００２７】
ＣＰＵ７０は、ＲＯＭ６５に記憶されたシーケンスプログラムを読み出し、ワークメモリであるＲＡＭ６６に展開する。ＣＣＤ５５の出力信号は、ＣＤＳ５６に入力され、ＣＣＤ５５の各受光素子の蓄積電荷量に対応したＲ、Ｇ、Ｂの３色信号として出力される。ＣＤＳ５６からの３色信号は、ＡＭＰ５７で増幅され、Ａ／Ｄ変換器５８で３色の画像データに変換される。撮影された静止画では、Ａ／Ｄ変換器５８からの３色の画像データは、データバス５９を介してＳＤＲＡＭ６７に一時的にストアされる。
【００２８】
画像信号処理回路６２は、静止画に対しては、ＳＤＲＡＭ６７から画像データを読み出して、階調変換、γ補正処理、色補正処理などの各種画像処理を施し、この画像データを再度ＳＤＲＡＭ６７に書き込む。この画像信号処理回路６２は、スルー画（動画）に対しては、Ａ／Ｄ変換器５８からの３色の画像データに対して簡易な画像処理を施してからＳＤＲＡＭ６７に書き込む。このＳＤＲＡＭ６７は、スルー画用に２つのメモリエリアを有し、一方のメモリエリアからスルー画を読み出している間に、他方のメモリエリアに次のスルー画を書き込む。
【００２９】
ＳＤＲＡＭ６７内のスルー画は、ＬＣＤドライバ６８でアナログのコンポジット信号に変換される。このコンポジット信号は、ＬＣＤパネル２７に送られ、ＬＣＤパネル２７にスルー画が表示される。ＳＤＲＡＭ６７に保存されている画像処理済の静止画は、圧縮伸長処理回路６３で所定の圧縮形式（例えばＪＰＥＧ形式）で画像圧縮される。この画像圧縮された静止画は、メディアコントローラ６９によってメモリカード２９に記録される。
【００３０】
ＣＰＵ７０には、撮影レンズ駆動部７２と、絞り駆動部７３と、シャッタ駆動部７４と、ＣＣＤ駆動部７５とが接続されている。撮影レンズ駆動部７２は、撮影レンズ５２のピント調節やズーミングを行う複数のモータと、各モータを制御する複数のドライバとを有する。絞り駆動部７３は、絞り装置５３を駆動するモータと、このモータを制御するドライバとを有する。シャッタ駆動部７４は、シャッタ装置５４を駆動するモータと、このモータを制御するドライバとを有する。操作部２８は、電源ボタン２４、シャッタボタン２５等の操作部材を有し、その操作信号がＣＰＵ７０に入力される。
【００３１】
撮影フィールド内の所定領域、通常は中央領域がフォーカスエリアに設定されている。ＡＥ／ＡＦ処理回路６４は、ＣＣＤ５５の出力信号のうち、フォーカスエリアに対応する信号から、撮影レンズ５２の合焦状態を判定する。撮影レンズ５２のピントが合っていない場合は、ＣＰＵ７０は、撮影レンズ駆動部７２を介して撮影レンズ５２を移動して焦点調節を行なう。また、ＡＥ／ＡＦ処理回路６４は、ＣＣＤ５５の出力信号から被写体輝度を測定し、絞り値とシャッタ速度とを算出する。絞り駆動部７３は、絞り値に応じて絞り装置５３を制御する。シャッタ駆動部７４は、シャッタ速度に応じてシャッタ装置５４を駆動して、静止画撮影での露光時間を制御する。
【００３２】
液晶板３５は、バックライトユニット（表示用光源）３７によって背後から照明されており、この背面照明の明るさによって、液晶板３５に表示される情報の輝度が定まる。ところで、ファインダ倍率に応じてファインダ像の明るさが変化するので、表示情報の輝度が一定であると、ファインダ像に対して、表示情報が明るすぎたり暗すぎたりすることになる。その結果、ファインダ像と表示情報の両方を同じように見ることが困難になる。そこで、ＣＰＵ７０は、図４に示すように、液晶板に表示される情報の輝度が、ファインダ倍率に応じて変更するように、バックライト制御部７６を介してバックライトユニット３７の発光輝度を制御する。例えば、変倍レンズの挿入によって、ファインダ倍率が高くなると、ファインダ像が暗くなるので、バックライトユニット３７を暗くして、表示情報も暗くする。
【００３３】
変倍レンズ３３，３４を移動させるファインダ駆動部４３は、手動式であっても良いし、自動式であっても良い。自動式の場合は、ファインダ駆動部４３は、撮影光学系５０の撮影倍率の変更動作に機械的または電気的に連動し、変倍レンズ３３，３４を自動的に出し入れしてファインダ倍率を変更する。この変倍レンズ３３，３４の出し入れに基づき、バックライトユニット３７の発光輝度がＣＰＵ７０によって自動的に調節される。
【００３４】
次に、上記実施形態の作用について説明する。デジタルカメラ２０は、電源がＯＮされると、シャッタ装置５４が開口し、ＣＣＤ５５の光電変換が開始される。ＣＣＤ５５は、ＣＣＤ駆動部７５によって、所定のサイクルで駆動され、被写体のスルー画を撮影する。このスルー画は、ＣＤＳ５６、ＡＭＰ５７、Ａ／Ｄ変換器５８を経て、画像処理回路６２に送られる。この画像処理回路で簡易な画像処理を受けてからＳＤＲＡＭ６７に書き込まれる。次に、ＳＤＲＡＭ６７から画像データが読み出され、ＬＣＤドライバ６８介してＣＤパネル２７に送られ、スルー画が表示される。なお、このスルー画の表示中には、次に表示すべきスルー画がＳＤＲＡＭ６７に書き込まれる。
【００３５】
スルー画の表示中に、ＡＥ／ＡＦ処理回路６４は所定のサイクルでＡＦ制御及びＡＥ制御を行う。ＡＦ制御では、ＣＣＤ５５の結像状態から撮影レンズ５２の合焦状態を判断する。撮影レンズ５２が合焦状態にない場合は、ＣＰＵ７０は、撮影レンズ駆動部７２を介して、撮影レンズ５２内のフォーカスレンズを移動して焦点調節を行う。ＡＥ制御では、ＣＣＤ５５からの緑色信号に基づいて、被写体輝度を測定する。ＣＰＵ７０は、被写体輝度に応じて、絞り駆動部７３を介して絞り装置５３を駆動して、絞り口径を調節する。
【００３６】
操作部２８のシャッタボタンが半押しされると、ＡＥ／ＡＦ処理回路６４が作動して、焦点調節を行う。また、ＡＥ／ＡＦ処理回路６４は、露出量を算出して、絞り値とシャッタ速度とを決定する。続いてシャッタボタンがフル押下されると、ＣＰＵ７０は、ＣＣＤ駆動部７５を介してＣＣＤ５５を強制的にリセットしてから、電荷蓄積を開始させる。そして、ＡＥ／ＡＦ処理回路６４で設定されたシャッタ速度に応じた露光時間が経過すると、シャッタ装置７４が閉鎖し、静止画の撮影が終了する。ＣＣＤ５５から静止画が読み出され、ＣＤＳ５６、ＡＭＰ５７、Ａ／Ｄ変換器５８を経て、ＳＤＲＡＭ６７に一時的に書き込まれる。この静止画の読出し後に、ＣＰＵ７０はシャッタ駆動部７４を介してシャッタ装置５４を解放して、スルー画の撮影を開始させる。
【００３７】
ＳＤＲＡＭ６７内の静止画は、画像処回路６２に読み出されて、各種の画像処理が施されてから、再びＳＤＲＡＭ６７に書き込まれる。このＳＤＲＡＭ６７内の処理済の静止画は、圧縮伸長処理回路６３に送られ、画像圧縮が施されてから、メモリカード２９に記録される。
【００３８】
スルー画の撮影中に、変倍ファインダ装置３０を覗きながら、画面に対する被写体像の大きさや位置の確認が行われる。被写体像の大きさを変更する場合は、操作部２８のズームボタンを操作して、撮影レンズ５２の撮影倍率（焦点距離）を変更する。この撮影倍率の変更では、撮影レンズ駆動部７２によって、変倍レンズが光軸方向に移動して倍率変更をするとともに、補正レンズ又はフォーカスレンズが光軸方向に移動して、倍率変更に伴うピント位置のずれを補正する。
【００３９】
撮影倍率の変更範囲は、例えば３段階に分類されており、撮影レンズ５２がいずれの段階に含まれているかどうかは、変倍レンズの位置信号に基づいて、ＣＰＵ７０によって判断される。この撮影倍率の段階に合せて、ＣＰＵ７０は、ファインダ倍率を３段階に自動的に変更する。この際に、ＣＰＵ７０は、ファインダ倍率の変更をファインダ駆動部４３に指示し、変倍レンズ３３、３４の出し入れを行わせる。撮影倍率が小さいときには、変倍レンズ３３、３４のいずれもファインダ光路４０から退避しており、ファイダ倍率も小さい。撮影倍率が中程度のときには、変倍レンズ３３がファインダ光路４０に挿入され、ファインダ倍率が中程度とされる。撮影倍率が大きいときには、変倍レンズ３３、３４の両方がファインダ光路４０に入っており、ファイダ倍率が大きい。
【００４０】
ファインダ倍率の変更に伴って液晶板３５に表示される情報の輝度を変更するが、その変更途中、すなわちファインダ倍率の変更が指示されたときからファインダ光路４０内への変倍レンズ３３，３４の挿脱が完了する間は、液晶板３５に表示される情報の輝度が変更前後の輝度より明るく表示される。
【００４１】
図５において、区間Ａでは、変倍ファインダ装置３０の視野に、撮影光学系のワイド端を表す倍率表示「×１」が表示されている。このときに、撮影レンズ５２のズーミングによって撮影倍率が大きく変化すると、倍率表示「×３」への変更が指示される。表示変更が指示されると、区間Ｂ後に変倍レンズ３３，３４がファインダ光路４０内に挿入される。ファインダ視野内のファインダ像が拡大される。ファインダ像の拡大後から、区間Ｃを経過した後に、変更完了後の区間Ｄとなる。
【００４２】
変更完了後の区間Ｄでは、表示情報の明るさ（輝度）は、変更前（区間Ａ）に対して暗いが、変更途中（区間ＢとＣとの間）では変更前後に対して相当に明るい。また、倍率表示は「×３」に変更されるが、変更途中では数倍大きく表示されて、変更中であることが強調される。なお、倍率表示を表わす「×１」や「×３」の大きさの変更は、ＣＰＵ７０によって行われる。
【００４３】
図６は、表示情報の大きさと輝度の変更の手順を示すものである。図５の区間Ａでは、ファインダ視野は、図７に示す状態にある。このファインダ視野内に、符号８５で示すように、倍率表示「×１．０」が表示されている。ＣＰＵ７０からファインダ倍率の変更指示があると、図５の区間Ｂになり、ファインダ視野は図８に示す状態になる。符号８６に示すように、倍率表示「×３．０」に変更されるとともに、「×３．０」の表示寸法が大きく表示され、かつ輝度も相当に明るくなる。続いて、ファインダ光路４０上に変倍レンズ３３，３４の挿入が開始される。ファインダ倍率が変更されて図５の区間Ｃになると、ファインダ視野は図９に示す状態になる。このファインダ視野では、ファインダ像は拡大され、また符号８７で示すように、倍率表示「×３．０」も大きく表示されている。
【００４４】
変倍レンズ３３，３４の挿脱の完了（ファインダ倍率の変更終了）が検知される。この挿脱の完了は、ファインダ駆動部４３のモータのストロークや、変倍レンズ３３，３４を検知するセンサ（マイクロスイッチや光学センサーなど）で知ることができる。この場合は、図５の区間Ｄになり、ファインダ視野は図１０に示す状態となる。符号８８で示す倍率表示「×３．０」は、表示サイズが変更前の通常の大きさに戻されるとともに、その輝度が変更前（図５の区間Ａ）より更に暗くなる。これによって、ファインダ倍率が変更されるのに伴って、ファインダ視野全体や表示情報の明るさが変更されるときの違和感が  感じられないようにしている。
【００４５】
図１１のフローチャートは、ファインダ倍率の他に、被写体輝度を考慮して表示情報の輝度を変更する例を示している。この例では、非常に明るい被写体や暗い被写体であっても、表示情報が見えにくくなることが改善される。被写体が明るい場合には、ファインダ倍率が高くてもファインダ像が明るくなる。ファインダ像が明るい場合には、表示情報も明るい方が見やすい。そこで、ファインダ倍率の他に、ＡＥ／ＡＦ処理回路６４で求めた被写体輝度を考慮して、バックライトユニット３７の発光輝度を調節し、表示情報の輝度を変更する。この例では、バックライトユニット３７の輝度の変更は、ファインダ倍率が変更されない場合であっても、被写体輝度に応じて変更されることもある。
【００４６】
また、表示情報の輝度変更は、バックライトユニット３７が連続点灯する場合には、バックライトユニット３７の輝度調節で行う。この他に、バックライトユニット３７の輝度を一定したままで、液晶板３５のオン・オフさせて画素を点滅させてもよい。この場合にはデューティ比が変更されるので、表示情報の輝度が変わる。例えば、デューティ比を大きくして、１サイクル内での点灯時間を長くすると、表示情報の輝度が高くなる。このデューティ比の制御は、ＣＰＵ７０によって行う他に、液晶板制御回路で制御しても良い。
【００４７】
撮影倍率の変更範囲は３段階に限らず、任意の段階でよいが、これに合せて変倍ファインダ装置の変倍段階も変更する。また、撮影レンズがズームレンズの場合には、ファインダ倍率も連続的に変化する方がよいので、変倍ファインダ装置にズームレンズを用いてもよい。この場合には、ファインダ倍率に応じて表示情報の輝度を連続的に変更する。
【符号の説明】
【００４８】
２０  デジタルカメラ
２６  ファインダ接眼窓
３０  変倍ファインダ装置
３２  変倍ファインダ光学系
３３，３４  変倍レンズ
３５  液晶板（電子表示板）
３６  プリズム（光路部材）
３７  バックライトユニット
４５  接眼レンズ
５０  撮影系
５２  撮影レンズ
【図１】
0005578749.tif 000002
【図２】
0005578749.tif 000003
【図３】
0005578749.tif 000004
【図４】
0005578749.tif 000005
【図５】
0005578749.tif 000006
【図６】
0005578749.tif 000007
【図７】
0005578749.tif 000008
【図８】
0005578749.tif 000009
【図９】
0005578749.tif 000010
【図１０】
0005578749.tif 000011
【図１１】
0005578749.tif 000012